(57)【要約】  【課題】  設置スペースが小さく、軽量で、位置変更も容易なスナップファスナー取付け機を提供する。  【解決手段】  受け具５に保持されたリベット部材Ｂと打込み具６に保持された嵌合用部材Ｃとの間に可撓性膜体Ｄを配置して、エアシリンダー装置７を作動することにより、打込み具が受け具に対して接近移動し、リベット部材の突起を可撓性膜体に突き刺すと共に嵌合用部材の貫通孔に挿通させ、その突起の先端部を打込み具に装備されたハンマー６ａで打撃して拡径変形させることにより、リベット部材と嵌合用部材とを可撓性膜体を挟んだ状態にカシメ止めするようにしたスナップファスナー取付け機Ａにおいて、受け具、打込み具及びエアシリンダー装置が取り付けられた本体フレーム１の支柱３をエアシリンダー装置に圧力空気を供給するための蓄圧タンクＴに兼用構成し、支柱側面に、前記蓄圧タンクに圧力空気を供給する電動式エアコンプレッサー１１を取り付ける。  【選択図】  図１
2006016735.tif 000002
【特許請求の範囲】
【請求項１】
受け具に保持されたリベット部材と打込み具に保持された嵌合用部材との間に可撓性膜体を配置して、エアシリンダー装置を作動することにより、打込み具が受け具に対して接近移動し、リベット部材の突起を可撓性膜体に突き刺すと共に嵌合用部材の貫通孔に挿通させ、その突起の先端部を打込み具に装備されたハンマーで打撃して拡径変形させることにより、リベット部材と嵌合用部材とを可撓性膜体を挟んだ状態にカシメ止めするようにしたスナップファスナー取付け機において、受け具、打込み具及びエアシリンダー装置が取り付けられた本体フレームをエアシリンダー装置に圧力空気を供給するための蓄圧タンクに形成し、本体フレームの外部に蓄圧タンクに圧力空気を供給するエアコンプレッサーを取り付けてあることを特徴とするスナップファスナー取付け機。
【請求項２】
本体フレームがベースとベース上に立設された支柱と支柱の上部に連設された駆動ケースを兼ねた上部フレームとからなり、支柱を中空構造として蓄圧タンクに兼用したことを特徴とする請求項１に記載のスナップファスナー取付け機。
【請求項３】
支柱の側面にエアコンプレッサーを取り付けてあることを特徴とする請求項２に記載のスナップファスナー取付け機。
【発明の詳細な説明】
【技術分野】
【０００１】
本発明は、受け具に保持されたリベット部材と受け具に保持された嵌合用部材との間に可撓性膜体を配置して、エアシリンダー装置を作動することにより、打込み具が受け具に対して接近移動し、リベット部材の突起を可撓性膜体に突き刺すと共に嵌合用部材の貫通孔に挿通させ、その突起の先端部を打込み具に装備されたハンマーで打撃して拡径変形させることにより、リベット部材と嵌合用部材とを可撓性膜体を挟んだ状態にカシメ止めするようにしたスナップファスナー取付け機に関するものである。
【背景技術】
【０００２】
この種のスナップファスナー取付け機は、特許文献１にも記載されているように、打込み具の駆動をエアシリンダー装置によって行うため、一回転クラッチを介して打込み具を昇降駆動するタイプのスナップファスナー取付け機に比べると、装置構成の簡略化が可能である等の利点を有している。
【０００３】
しかしながら、従来のスナップファスナー取付け機では、図４に示すように、エアシリンダー装置に圧力空気を供給するための蓄圧タンクＴと蓄圧タンクＴに圧力空気を供給する電動式エアコンプレッサー１１が、スナップファスナー取付け機Ａとは別体に構成されており、蓄圧タンクＴとスナップファスナー取付け機Ａをホース１９で接続するように構成されていた。
【０００４】
そのため、全体として嵩張り、広い設置スペースが必要である上、重量も大きくなり、作業所内へのスナップファスナー取付け機の設置や位置変更などに不便であった。大規模な衣服製造工場であれば、一箇所に大型の蓄圧タンクを据え付け、これに多数のスナップファスナー取付け機を長尺のホースで配管接続することができるので、個々のスナップファスナー取付け機の設置スペースが小さくて済み、位置変更も容易であるが、衣服に対するスナップファスナーの取付け作業は、家内工業的な小規模な作業所で行われることが多く、図示のようなスナップファスナー取付け機Ａ毎に蓄圧タンクＴ及びエアコンプレッサー１１を装備したものが使用されるのである。
【０００５】
【特許文献１】特開２００４−７３３６８号公報
【発明の開示】
【発明が解決しようとする課題】
【０００６】
上記の現状に鑑み、本発明は、設置スペースが小さくて済み、軽量で、位置変更も容易なスナップファスナー取付け機を提供せんとするものである。
【課題を解決するための手段】
【０００７】
上記の目的を達成するために、本発明が講じた技術的手段は、次の通りである。即ち、請求項１に記載の発明は、受け具に保持されたリベット部材と打込み具に保持された嵌合用部材との間に可撓性膜体を配置して、エアシリンダー装置を作動することにより、打込み具が受け具に対して接近移動し、リベット部材の突起を可撓性膜体に突き刺すと共に嵌合用部材の貫通孔に挿通させ、その突起の先端部を打込み具に装備されたハンマーで打撃して拡径変形させることにより、リベット部材と嵌合用部材とを可撓性膜体を挟んだ状態にカシメ止めするようにしたスナップファスナー取付け機において、受け具、打込み具及びエアシリンダー装置が取り付けられた本体フレームをエアシリンダー装置に圧力空気を供給するための蓄圧タンクに形成し、本体フレームの外部に蓄圧タンクに圧力空気を供給するエアコンプレッサーを取り付けてあることを特徴としている。
【０００８】
具体的には、請求項２に記載のように、ベースとベース上に立設された支柱と支柱の上部に連設された駆動ケースを兼ねた上部フレームとからなる本体フレームの前記支柱を中空構造として蓄圧タンクに兼用してある。また、エアコンプレッサーは、請求項３に記載のように、支柱の側面に取り付けてある。
【発明の効果】
【０００９】
請求項１に記載の発明によれば、スナップファスナー取付け機の本体フレームを蓄圧タンクに形成し、本体フレームの外部にエアコンプレッサーを取り付けたので、蓄圧タンクのための設置スペースが省略されることになり、設置スペースが小さくて済み、位置変更も容易である。
【００１０】
殊に、請求項２に記載の発明によれば、本体フレームの前記支柱を中空構造として蓄圧タンクに兼用したので、軽量化が達成され、位置変更が一層容易であり、兼用による構成部材数の削減とそれによるコストダウンが可能である。また、請求項３に記載の発明によれば、エアコンプレッサーを支柱の側面に取り付けたので、スナップファスナー取付け機を建物の壁面に近接させて設置でき、作業室の空間を有効に利用できることになる。
【発明を実施するための最良の形態】
【００１１】
図１〜図３は、本発明に係るスナップファスナー取付け機Ａの一例を示す。これらの図において、１は自立可能な本体フレームであり、本体フレーム１は、ベース２とベース２上に立設された支柱３と支柱３の上部に連設された駆動ケースを兼ねた上部フレーム４とから構成されている。上部フレーム４の前部側は、前方と左右両側方に開放した作業スペースＳを形成するように、上フレーム部４ａと下フレーム部４ｂとに分かれている。
【００１２】
下フレーム部４ｂには、合成樹脂製のリベット部材Ｂをその突起が上向きになるように保持する受け具５が設けられており、上フレーム部４ａには、受け具５に対して昇降可能な打込み具６と打込み具６を昇降駆動するエアシリンダー装置７とが設けられている。
【００１３】
そして、受け具５に保持されたリベット部材Ｂと打込み具６に保持された合成樹脂製の嵌合用部材Ｃとの間に可撓性膜体Ｄを配置して、エアシリンダー装置７を作動することにより、リンク機構８を介して打込み具６が受け具５に対して接近移動し、リベット部材Ｂの突起を可撓性膜体Ｄに突き刺すと共に嵌合用部材Ｃの中央貫通孔に挿通させ、その突起の先端部を打込み具６に装備されたハンマー６ａで打撃して拡径変形させることにより、リベット部材Ｂと嵌合用部材Ｃとを可撓性膜体Ｄを挟んだ状態にカシメ止めするように構成してある。９はエアシリンダー装置７に対する圧力空気の流路切換バルブ１０を操作するための足踏みペダルであり、支柱３右側のベース２上に設けられている。
【００１４】
本体フレーム１の前記支柱３は、図１に示すように、横断面角型の中空構造としてされており、図１、図３に示すように、前記エアシリンダー装置７に圧力空気を供給するための蓄圧タンクＴに兼用構成してある。１１は蓄圧タンクＴに圧力空気を供給する電動式エアコンプレッサーであり、支柱３の左の側面（足踏みペダル９と反対側の側面）に取り付けられている。１２はエアコンプレッサーメインスイッチであり、支柱３の右の側面に取り付けられている。Ｖ１は逆止弁、Ｖ２は安全弁、１３はドレンキャッチ、１４はレギュレーター、１５は圧力計、１６は蓄圧タンクＴの底部に設けたドレンコックである。図２に示す１７は、前記受け具５を下フレーム部４ｂに弾性的に支持するためのスプリングである。前記打込み具６は、図２に示すように、リベット部材Ｂの突起を打撃するハンマー６ａと、嵌合用部材Ｃを保持する筒状の保持部材６ｂと、昇降ロッド６ｃ等で構成され、ハンマー６ａと昇降ロッド６ｃは互いにねじで固定され、保持部材６ｂはハンマー６ａに対して摺動自在であり、スプリング１８によりハンマー６ａに対して下方へ摺動付勢されている。
【００１５】
上記の構成によれば、スナップファスナー取付け機Ａの本体フレーム１の前記支柱３を中空構造として蓄圧タンクＴに兼用したので、構成部材点数が減少して、軽量化と低コスト化が達成されるばかりでなく、蓄圧タンクＴのための設置スペースが一切不要であることと、エアコンプレッサー１１を支柱３側面に取り付けたこととが相俟って、スナップファスナー取付け機Ａの設置スペースが小さくて済み、位置変更も容易である。
【００１６】
また、エアコンプレッサー１１を支柱３の側面に取り付けたので、スナップファスナー取付け機Ａを建物の壁面に近接させて設置でき、作業室の空間を有効に利用できることになる。
【図面の簡単な説明】
【００１７】
【図１】本発明の実施形態を示すスナップファスナー取付け機の斜視図である。
【図２】受け具及び打込み具の構成を示す要部の縦断側面図である。
【図３】圧力空気の流路構成を説明する図である。
【図４】従来のスナップファスナー取付け機の斜視図である。
【符号の説明】
【００１８】
Ａ  スナップファスナー取付け機
Ｂ  リベット部材
Ｃ  嵌合用部材
Ｄ  可撓性膜体
Ｔ  蓄圧タンク
１  本体フレーム
２  ベース
３  支柱
５  受け具
６  打込み具
１１  エアコンプレッサー
【図１】
2006016735.tif 000003
【図２】
2006016735.tif 000004
【図３】
2006016735.tif 000005
【図４】
2006016735.tif 000006